(57)【要約】【課題】各種商品陳列搬送用パッケージとしての一義的使用を終えた後にも、別の使用目的に沿って再使用できるように予め設計してなる多機能パッケージを提供すること。【解決手段】第１の使用目的に適った第１の使用形態Ｘ１と、第２の使用目的に適った第２の使用形態との間で形態変更が可能であり、前記第１の使用形態Ｘ１が、内部に複数の商品Ｃａを収容して陳列および搬送に供する商品陳列搬送パッケージ形態をなすものであり、前記第２の使用形態が、前記第１の使用形態とは異なる使用形態をなすものであって、簡易的な操作により形態変更し得るものからなることを特徴とする多機能パッケージ。【選択図】図１
0003102486.tif 000002
【実用新案登録請求の範囲】
【請求項１】
第１の使用目的に適った第１の使用形態と、第２の使用目的に適った第２の使用形態との間で形態変更が可能であり、前記第１の使用形態が、内部に複数の商品を収容して陳列および搬送に供する商品陳列搬送パッケージ形態をなすものであり、前記第２の使用形態が、前記第１の使用形態とは異なる使用形態をなすものであって、簡易的な操作により形態変更し得るものからなることを特徴とする多機能パッケージ。
【請求項２】
前記第１の使用形態が、内部に複数個の缶入り商品を収容して陳列および搬送が可能である缶入り商品陳列搬送パッケージ形態をなし、前記第２の使用形態が、内部にティッシュボックスを収容して、該ティッシュボックス内のティッシュペーパーを外部から取出し可能にしたティッシュボックスカバーバッグ形態をなすものであることを特徴とする請求項１に記載の多機能パッケージ。
【請求項３】
前記第１の使用形態時における缶入り商品陳列搬送パッケージが、前壁、背壁、左右側壁および底壁とにより内部に複数個の缶容器を収容する収容室を形成し、前記背壁の上縁から外方に向けてのび、上面開口を開閉自在に覆う蓋壁を備えたものからなることを特徴とする請求項１あるいは請求項２に記載の多機能パッケージ。
【請求項４】
前記第２の使用形態時におけるティッシュボックスカバーバッグは、前記収容室内にティッシュボックスを収容する際、ペーパー取出し口側が前記背壁に対面する方向に収容され、前記背壁にペーパー取出し用切り口を設けたものからなることを特徴とする請求項１〜請求項３のいずれかに記載の多機能パッケージ。
【請求項５】
前記第１の使用形態が、内部に複数種類の容器入り商品を収容して陳列および搬送が可能である容器入り商品陳列搬送パッケージ形態をなし、前記第２の使用形態が、簡易的なクールボックス形態として機能するように構成してなることを特徴とする請求項１に記載の多機能パッケージ。
【請求項６】
前記第１の使用形態時における容器入り商品陳列搬送パッケージが、前壁、背壁、左右側壁および底壁とにより内部に複数種類の容器入り商品を収容する収容室を形成し、前記前壁の上縁から外方に向けてのびていて、上面開口を開閉自在に覆う第１の蓋壁と、前記背壁の上縁から外方に向けてのびていて、上面開口を開閉自在に覆うとともに前記前壁をも覆うに適した長さ寸法でなる第２の蓋壁を備えたものからなることを特徴とする請求項５に記載の多機能パッケージ。
【請求項７】
前記第２の使用形態時におけるクーラーボックスの機能を維持するため、前記背壁、左右側壁、底壁、第１および第２の蓋壁の内面側を保冷素材で形成したことを特徴とする請求項５あるいは請求項６に記載の多機能パッケージ。
【考案の詳細な説明】
【技術分野】
【０００１】
この考案は、従来、販促商品として使用後には直ちに破棄されていた商品、例えば、ビールあるいはその他の飲料物を缶入りにした缶入り商品を所定数ずつまとめて店頭に陳列したり、搬送したりする際に用いられてきた缶入り商品陳列搬送用パッケージ、あるいはまた、シャンプー、リンスなどのコスメチック商品などをセットにして店頭に陳列したり、搬送したりする際に用いられてきた商品陳列搬送用パッケージを、一義的使用にて終えることなく、これらを再利用し得るように構成してなる多機能パッケージに関するものである。
【背景技術】
【０００２】
周知のように、上記するような商品陳列搬送用パッケージは、従来、極めて安易な提案のもとに設計されているものであって、その殆どが、その使用目的を終えた後に、単なる廃棄物として破棄されているものに過ぎなかった。この従来の発想は、極めて不経済的なものであり、その効果的な再利用のための提案が要求されていた。
【考案の開示】
【考案が解決しようとする課題】
【０００３】
そこで、この考案では、上記する従来技術の問題点を解消すべくなしたものであって、特に重要な要素は、構造を簡略化するとともに、例えば、各種商品のための商品陳列搬送用パッケージに関して、当該商品陳列搬送用パッケージとしての一義的使用を終えた後にも、別の使用目的に沿って再使用できるように予め設計してなる多機能パッケージを提供することにある。
【課題を解決するための手段】
【０００４】
この考案は、上記する目的を達成するにあたって、具体的には、第１の使用目的に適った第１の使用形態と、第２の使用目的に適った第２の使用形態との間で形態変更が可能であり、前記第１の使用形態が、内部に複数の商品を収容して陳列および搬送に供する商品陳列搬送パッケージ形態をなすものであり、前記第２の使用形態が、前記第１の使用形態とは異なる使用形態をなすものであって、簡易的な操作により形態変更し得るものからなることを特徴とする多機能パッケージするものである。
【０００５】
さらに、この考案において請求項２に記載の考案は、請求項１に記載の多機能パッケージであって、前記第１の使用形態が、内部に複数個の缶入り商品を収容して陳列および搬送が可能である缶入り商品陳列搬送パッケージ形態をなし、前記第２の使用形態が、内部にティッシュボックスを収容して、該ティッシュボックス内のティッシュペーパーを外部から取出し可能にしたティッシュボックスカバーバッグ形態をなすものであることを特徴とするものである。
【０００６】
さらにまた、この考案において請求項３に記載の考案は、請求項１あるいは請求項２に記載の考案であって、前記第１の使用形態時における缶入り商品陳列搬送パッケージが、前壁、背壁、左右側壁および底壁とにより内部に複数個の缶容器を収容する収容室を形成し、前記背壁の上縁から外方に向けてのび、上面開口を開閉自在に覆う蓋壁を備えたものからなることを特徴とするものである。
【０００７】
さらに、この考案において請求項４に記載の考案は、請求項１〜請求項３のいずれかに記載のものであって、前記第２の使用形態時におけるティッシュボックスカバーバッグは、前記収容室内にティッシュボックスを収容する際、ペーパー取出し口側が前記背壁に対面する方向に収容され、前記背壁にペーパー取出し用切り口を設けたものからなることを特徴とするものでもある。
【０００８】
さらにまた、この考案において請求項５に記載の考案は、請求項１に記載の多機能パッケージであって、前記第１の使用形態が、内部に複数種類の容器入り商品を収容して陳列および搬送が可能である容器入り商品陳列搬送パッケージ形態をなし、前記第２の使用形態が、簡易的なクールボックス形態として機能するように構成してなることを特徴とするものである。
【０００９】
さらにまた、この考案において請求項６に記載の考案は、請求項５に記載の多機能パッケージであって、前記第１の使用形態時における容器入り商品陳列搬送パッケージが、前壁、背壁、左右側壁および底壁とにより内部に複数種類の容器入り商品を収容する収容室を形成し、前記前壁の上縁から外方に向けてのびていて、上面開口を開閉自在に覆う第１の蓋壁と、前記背壁の上縁から外方に向けてのびていて、上面開口を開閉自在に覆うとともに前記前壁をも覆うに適した長さ寸法でなる第２の蓋壁を備えたものからなることを特徴とするものである。
【００１０】
さらにまた、この考案において請求項７に記載の考案は、請求項５あるいは請求項６に記載の多機能パッケージであって、前記第２の使用形態時におけるクーラーボックスの機能を維持するため、前記背壁、左右側壁、底壁、第１および第２の蓋壁の内面側を保冷素材で形成したことを特徴とするものである。
【考案の効果】
【００１１】
この考案になる多機能パッケージは、まず第１に、構造が極めて簡素的であり、製造加工が極めて容易であり、多量生産に適合する等の点において経済的に極めて有利に作用するものといえる。加えて、この考案になる多機能パッケージによれば、当初の使用目的を終えた後、極めて簡易的な操作により、これを別の使用目的に供することができるように構成してある点において、従来、問題視されていた不経済性をも解決し得るものであって、その点においても、極めて有効に作用するものといえる。
【考案を実施するための最良の形態】
【００１２】
以下、この考案になる多機能パッケージについて、図面に示す具体的な実施例にもとづいて詳細に説明する。図１は、この考案の第１の構成例になる多機能パッケージであって、ビールなどの缶入り商品を所定数ずつまとめて店頭に陳列し、搬送する際に用いられる缶入り商品陳列搬送用パッケージ形態を示す概略的な斜視図であり、図２は、背壁に設けてある切り口に沿ってハサミを入れている状態を示す概略的な斜視図であり、図３は、当該パッケージ内にティッシュボックスを収納する状況を示す概略的な斜視図であり、図４は、ティッシュボックスカバーバッグ形態に形態変更して使用している状態を示す概略的な斜視図である。
【００１３】
図５は、この考案の第２の構成例になる多機能パッケージであって、シャンプー、リンスなどのコスメチック商品をセットにして店頭に陳列し、搬送する際に用いられる容器入り商品陳列搬送用パッケージ形態を示す概略的な斜視図であり、図６は、これをクールボックス形態として使用する状態を示す概略的な斜視図であり、図７は、その形態変更の手順を示す概略的な斜視図であり、図８は、当該多機能パッケージの内壁構造を説明するための概略的な斜視図である。
【００１４】
まず、この考案の第１の構成例になる多機能パッケージ１について、図１〜図４に基づいて詳細に説明する。この考案において、前記第１の構成例になる多機能パッケージ１は、例えば、図１に示すような第１の使用目的に適った第１の使用形態Ｘ１、即ち、ビールなどの缶入り商品Ｃａを所定数ずつまとめて店頭に陳列し、搬送する際に用いられる缶入り商品陳列搬送用パッケージ形態と、図４に示すような第２の使用目的に適った第２の使用形態Ｙ１、即ち、内部にティッシュボックスＴＢを収容して、該ティッシュボックス内のティッシュペーパーＰａを外部から取出し可能にしたティッシュボックスカバーバッグ形態との間で形態変更が可能に構成されている。
【００１５】
この第１の構成例になる多機能パッケージ１は、上記する第１の使用形態時において、前壁２、背壁３、左右側壁４、５および底壁６とにより内部に複数個の缶容器を収容する収容室７を形成し、前記背壁３の上縁３ａから外方に向けてのびていて、上面開口を開閉自在に覆う蓋壁８を備えたものからなっている。この例において、前記前壁２は、内部の商品が視認できるように透明あるいは半透明の構成材によって形成されている。さらに、前記多機能パッケージ１は、提げ手ベルト９が左右側壁４、５間に掛け渡されている。さらに、前記多機能パッケージ１は、蓋壁８を前壁２に留め合わせるためのフック１０ａ、１０ｂとからなるフック手段１０を備えている。
【００１６】
この第１の構成例において、第２の使用形態時におけるティッシュボックスカバーバッグは、前記収容室７内にティッシュボックスＴＢを収容する際、ペーパー取出し口Ｏｐ側が前記背壁３に対面する方向に収容される。前記背壁３には、切り込み口１１が設けられていて、図２に示すように、ハサミＳＣなどで切り込むことによりペーパー取出し用切り口１２を形成する。
【００１７】
次いで、この考案の第２の構成例になる多機能パッケージ２１について、図５〜図８に基づいて詳細に説明する。この考案において、前記第２の構成例になる多機能パッケージ２１は、例えば、図５に示すような第１の使用目的に適った第１の使用形態Ｘ２、即ち、シャンプーＳｈ、リンスＲｉ、タオルＴｏなどのコスメチック商品などをセットにして店頭に陳列し、搬送する際に用いられるコスメチック商品陳列搬送用パッケージ形態と、図６に示すような第２の使用目的に適った第２の使用形態Ｙ２、即ち、内部に飲料用ボトルＢｏを収容して、該飲料用ボトルＢｏを保冷しておくための野外活動用ク−ルボックス形態（保冷バッグ形態）との間で形態変更が可能なものとして構成されている。
【００１８】
この第２の構成例になる多機能パッケージ２１は、上記する第１の使用形態時において、前壁２２、背壁２３、左右側壁２４、２５および底壁２６とにより内部に複数種類の容器入り商品を収容する収容室２７を形成し、前記前壁２２の上縁２２ａから外方に向けてのびていて、上面開口を開閉自在に覆う第１の蓋壁２８Ａと、前記背壁２３の上縁２３ａから外方に向けてのびていて、上面開口を開閉自在に覆うとともに前記前壁２２をも覆うに適した長さ寸法でなる第２の蓋壁２８Ｂを備えたものからなっている。この例において、前記前壁２２は、内部の商品が視認できるように透明あるいは半透明の構成材によって形成されている。さらに、前記多機能パッケージ２１は、提げ手ベルト２９が左右側壁２４、２５間に掛け渡されている。さらに、前記多機能パッケージ２１は、蓋壁２８Ａ、２８Ｂを留め合わせるためのフック３０ａ、３０ｂ、３０ｃとからなるフック手段３０を備えている。
【００１９】
前記多機能パッケージ２１は、前記第２の使用形態時におけるクーラーボックスの機能を維持するため、前記背壁２３、左右側壁２４、２５、底壁２６、第１の蓋壁２８Ａおよび第２の蓋壁２８Ｂの内面側を保冷素材により形成してある。図８からも明らかなように、前記前壁２２は、透明ないしは半透明材でなり、前記左右側壁２４、２５は、第１の使用形態時には、透明ないしは半透明材による側壁２４ａ、２５ａであることが好ましく、第２の使用形態時には、保冷素材による側壁２４ｂ、２５ｂであることが好ましい。
【００２０】
この第２の構成例になる多機能パッケージ２１は、図５に示す第１の使用形態から、図６に示す第２の使用形態に形態を変更する場合、図７Ａ〜図７Ｆの手順に従ってなされる。即ち、この第２の構成例になる多機能パッケージ２１は、第１の使用目的を終えたのち、内部に収容してある商品を取り出し（図７Ａ〜Ｂ参照）、背壁面２３に重ね合わせ状に折り畳んであった第２の蓋壁２８Ｂを外側に引き出し、保冷素材による側壁２４ｂ、２５ｂを側壁２４ａ、２５ａ側に重ね合わせ、内部に保冷飲料用ボトルＢｏを収容する（図７Ｃ〜Ｄ参照）。しかる後、第１の蓋壁２８Ａ、第２の蓋壁２８Ｂの順に上部開口を閉じ、第２の蓋壁２８Ｂに設けてあるフック３０ａと、前壁２２の下部に設けてあるフック３０ｃとを留め合わせてクールボックス形態に移行する（図７Ｅ〜Ｆ参照）。
【図面の簡単な説明】
【００２１】
【図１】図１は、この考案の第１の構成例になる多機能パッケージであって、ビールなどの缶入り商品を所定数ずつまとめて店頭に陳列し、搬送する際に用いられる缶入り商品陳列搬送用パッケージ形態を示す概略的な斜視図である。
【図２】図２は、背壁に設けてある切り口に沿ってハサミを入れている状態を示す概略的な斜視図である。
【図３】図３は、当該パッケージ内にティッシュボックスを収納する状況を示す概略的な斜視図である。
【図４】図４は、ティッシュボックスカバーバッグ形態に形態変更して使用している状態を示す概略的な斜視図である。
【図５】図５は、この考案の第２の構成例になる多機能パッケージであって、シャンプー、リンス、タオルなどのコスメチック商品をセットにして店頭に陳列し、搬送する際に用いられる容器入り商品陳列搬送用パッケージ形態を示す概略的な斜視図である。
【図６】図６は、これをクールボックス形態として使用する状態を示す概略的な斜視図である。
【図７】図７は、当該多機能パッケージ２１の形態変更の手順を順次示す概略的な斜視図である。
【図８】図８は、当該多機能パッケージ２１の内壁構造を説明するための概略的な斜視図である。
【符号の説明】
【００２２】
１  第１の構成例になる多機能パッケージ
Ｃａ  ビールなどの缶入り商品
ＴＢ  ティッシュボックス
Ｘ１  第１の構成例における第１の使用形態
Ｙ１  第１の構成例における第２の使用形態
２  前壁
３  背壁
４、５  左右側壁
６  底壁
７  収容室
８  蓋壁
９  提げ手ベルト
１０  フック手段
１１  切り込み口
１２  ペーパー取出し用切り口
２１  第２の構成例になる多機能パッケージ
Ｘ２  第２の構成例における第１の使用形態
Ｙ２  第２の構成例における第２の使用形態
２２  前壁
２３  背壁
２４、２５  左右側壁
２６  底壁
２７  収容室
２８Ａ  第１の蓋壁
２８Ｂ  第２の蓋壁
２９  提げ手ベルト
３０  フック手段
【図１】
0003102486.tif 000003
【図２】
0003102486.tif 000004
【図３】
0003102486.tif 000005
【図４】
0003102486.tif 000006
【図５】
0003102486.tif 000007
【図６】
0003102486.tif 000008
【図７】
0003102486.tif 000009
【図８】
0003102486.tif 000010